(57)【要約】【課題】一次タッピンネジ釘の提供。【解決手段】本体、緊迫ねじ、ドリルヘッドを包含し、本体内部は中空で、緊迫ねじを挿通でき、緊迫ねじの頭部にドリルヘッドを螺合し、後部は工具による駆動に供し、中段に本体頭部と噛み合う雄ネジを設け、本体外部にネジ部と変形部を設けた一次タッピンネジ釘であって、その特徴の一つめは、本体頭部内周に湿気で孔が広がった時に緊迫ねじの雄ネジと噛合関係を保持可能な噛合部が設けられたこと、特徴の二つめは、本体の拡大フランジと緊迫ねじの対向面の間に本体の緩みによる退出を防止するストッパ部が設けられたことである。【選択図】図６
2008069963.tif 000002
【特許請求の範囲】
【請求項１】
一次タッピンネジ釘であって、該一次タッピンネジ釘は本体、緊迫ねじ、ドリルヘッドを包含し、そのうち、
該本体はプラスチックで製造された中空棒体であり、該緊迫ねじが挿通され、該本体の頭部の内径が該緊迫ねじよりやや小さく、該本体の後部にフランジが設けられ、該本体の棒体外部にネジ部と変形部が設けられ、該本体に該変形部を貫通するように若干の等分配置された変形用のスロットが設けられ、
該緊迫ねじは金属で製造され、該緊迫ねじの頭部に該ドリルヘッドが嵌合され、該緊迫ねじの中段に雄ネジが設けられて該本体の頭部と噛合され、該緊迫ねじの後部に電動ドライバー工具を嵌合して該電動ドライバー工具により駆動するための駆動溝が設けられ、
該ドリルヘッドは金属で製造され、該ドリルヘッドの中心に該緊迫ねじの頭部と嵌合して一体となすための嵌合孔が設けられた、上記一次タッピンネジ釘において、
該本体の頭部の内周に、該緊迫ねじの該雄ネジと噛合可能な噛合部が設けられたことを特徴とする、一次タッピンネジ釘。
【請求項２】
請求項１記載の一次タッピンネジ釘において、該噛合部が環状とされたことを特徴とする、一次タッピンネジ釘。
【請求項３】
請求項１記載の一次タッピンネジ釘において、該噛合部が若干の等分配置された突出状とされたことを特徴とする、一次タッピンネジ釘。
【請求項４】
一次タッピンネジ釘であって、該一次タッピンネジ釘は本体、緊迫ねじ、ドリルヘッドを包含し、そのうち、
該本体はプラスチックで製造された中空棒体であり、該緊迫ねじが挿通され、該本体の頭部の内径が該緊迫ねじよりやや小さく、該本体の後部にフランジが設けられ、該本体の棒体外部にネジ部と変形部が設けられ、該本体に該変形部を貫通するように若干の等分配置された変形用のスロットが設けられ、
該緊迫ねじは金属で製造され、該緊迫ねじの頭部に該ドリルヘッドが嵌合され、該緊迫ねじの中段に雄ネジが設けられて該本体の頭部と噛合され、該緊迫ねじの後部に電動ドライバー工具を嵌合して該電動ドライバー工具により駆動するための駆動溝が設けられ、
該ドリルヘッドは金属で製造され、該ドリルヘッドの中心に該緊迫ねじの頭部と嵌合して一体となすための嵌合孔が設けられた、上記一次タッピンネジ釘において、
該本体の該フランジと該緊迫ねじとの対向面との間に、物品の実際の孔の深さと等しい長さのストッパ部が設けられたことを特徴とする、一次タッピンネジ釘。
【請求項５】
請求項４記載の一次タッピンネジ釘において、該ストッパ部が該本体の該フランジ上に設置されたことを特徴とする、一次タッピンネジ釘。
【請求項６】
請求項４記載の一次タッピンネジ釘において、該ストッパ部が該緊迫ねじの対向面上に設置されたことを特徴とする、一次タッピンネジ釘。
【請求項７】
請求項４記載の一次タッピンネジ釘において、一つの該ストッパ部が該本体の該フランジ上に設置され、もう一つの該ストッパ部が該緊迫ねじの対向面上に設置されたことを特徴とする、一次タッピンネジ釘。
【請求項８】
請求項４記載の一次タッピンネジ釘において、該物品の該孔が魚眼孔とされたことを特徴とする、一次タッピンネジ釘。
【発明の詳細な説明】
【技術分野】
【０００１】
本発明は一次タッピンネジ釘に係り、特に、広く石膏ボード、金属板、木板、プラスチック板、壁に応用され、湿った環境でプラスチック本体の孔が広がる時にも緊迫ねじとの噛合関係を保持でき、本体のタッピン過程でのゆるみによる後退を防止した一次タッピンネジ釘に関する。
【背景技術】
【０００２】
周知の一次タッピンネジ釘は、図１の周知の一次タッピンネジ釘の立体分解図に示されるように、本体１０、緊迫ねじ２０、ドリルヘッド３０で構成される。
【０００３】
そのうち、本体１０は、プラスチック（ナイロン）材質で製造され、中空の棒体であり、緊迫ねじ２０を挿通でき、本体１０の頭部の内径は緊迫ねじ２０の雄ネジ２１外径よりやや小さく、本体１０の後部にフランジ１１が設けられ、本体１０の棒体外部にネジ部１２と変形部１３が設けられ、本体１０の変形部１３を貫通するように等分に若干の変形用のスロット１４が設けられている。
【０００４】
緊迫ねじ２０は金属（中炭素鋼）で製造され、緊迫ねじ２０の頭部にドリルヘッド３０が嵌合され、緊迫ねじ２０の中段に雄ネジ２１が設けられ、本体１０頭部の内周との噛合に用いられ、該緊迫ねじ２０の後部に駆動溝２２が設けられ、電動ドライバー工具１を嵌合して電動ドライバー工具１による駆動に供される。
【０００５】
ドリルヘッド３０は金属（中炭素鋼）で製造され、ドリルヘッド３０の中心に嵌合孔３１が設けられ、これにより緊迫ねじ２０の頭部と嵌合固定されて一体とされる。
【発明の開示】
【発明が解決しようとする課題】
【０００６】
ただし、上述の周知の一次タッピンネジ釘は、実際の応用時に、少なくとも以下の２項の克服、解決すべき問題と欠点を有している。
１．本体１０がプラスチック（ナイロン）で製造されているため、環境の空気湿度の影響を受けやすく、それにより本体１０頭部の内径が、湿気により拡大し、空気が乾燥すると縮小し、図２に示されるように、孔が拡大する時、緊迫ねじ２０は本体１０と噛合不能となり、ゆえに本体１０をそれに伴い回転させることができず、本体１０が尚早に引き戻される状況が形成される。孔が縮小する時、緊迫ねじ２０の本体１０変形部１３を引き戻す力は本体１０のネジ部１２をねじ込む力より大きく、このため本体１０の雄ネジ２１の空転の状況が形成される。
２．図３、４、５に示されるように、周知の一次タッピンネジ釘は、物品２をネジ止めする時、緊迫ねじ２０が本体１０に対するストッパ作用を発生できず、ゆえに本体１０のネジ部１２が変形部１３がねじれ変形開始すると同時に退出し、根本的に緊密に物品をネジ止めできない。
【課題を解決するための手段】
【０００７】
請求項１の発明は、一次タッピンネジ釘であって、該一次タッピンネジ釘は本体、緊迫ねじ、ドリルヘッドを包含し、そのうち、
該本体はプラスチックで製造された中空棒体であり、該緊迫ねじが挿通され、該本体の頭部の内径が該緊迫ねじよりやや小さく、該本体の後部にフランジが設けられ、該本体の棒体外部にネジ部と変形部が設けられ、該本体に該変形部を貫通するように若干の等分配置された変形用のスロットが設けられ、
該緊迫ねじは金属で製造され、該緊迫ねじの頭部に該ドリルヘッドが嵌合され、該緊迫ねじの中段に雄ネジが設けられて該本体の頭部と噛合され、該緊迫ねじの後部に電動ドライバー工具を嵌合して該電動ドライバー工具により駆動するための駆動溝が設けられ、
該ドリルヘッドは金属で製造され、該ドリルヘッドの中心に該緊迫ねじの頭部と嵌合して一体となすための嵌合孔が設けられた、上記一次タッピンネジ釘において、
該本体の頭部の内周に、該緊迫ねじの該雄ネジと噛合可能な噛合部が設けられたことを特徴とする、一次タッピンネジ釘としている。
請求項２の発明は、請求項１記載の一次タッピンネジ釘において、該噛合部が環状とされたことを特徴とする、一次タッピンネジ釘としている。
請求項３の発明は、請求項１記載の一次タッピンネジ釘において、該噛合部が若干の等分配置された突出状とされたことを特徴とする、一次タッピンネジ釘としている。
請求項４の発明は、一次タッピンネジ釘であって、該一次タッピンネジ釘は本体、緊迫ねじ、ドリルヘッドを包含し、そのうち、
該本体はプラスチックで製造された中空棒体であり、該緊迫ねじが挿通され、該本体の頭部の内径が該緊迫ねじよりやや小さく、該本体の後部にフランジが設けられ、該本体の棒体外部にネジ部と変形部が設けられ、該本体に該変形部を貫通するように若干の等分配置された変形用のスロットが設けられ、
該緊迫ねじは金属で製造され、該緊迫ねじの頭部に該ドリルヘッドが嵌合され、該緊迫ねじの中段に雄ネジが設けられて該本体の頭部と噛合され、該緊迫ねじの後部に電動ドライバー工具を嵌合して該電動ドライバー工具により駆動するための駆動溝が設けられ、
該ドリルヘッドは金属で製造され、該ドリルヘッドの中心に該緊迫ねじの頭部と嵌合して一体となすための嵌合孔が設けられた、上記一次タッピンネジ釘において、
該本体の該フランジと該緊迫ねじとの対向面との間に、物品の実際の孔の深さと等しい長さのストッパ部が設けられたことを特徴とする、一次タッピンネジ釘としている。
請求項５の発明は、請求項４記載の一次タッピンネジ釘において、該ストッパ部が該本体の該フランジ上に設置されたことを特徴とする、一次タッピンネジ釘としている。
請求項６の発明は、請求項４記載の一次タッピンネジ釘において、該ストッパ部が該緊迫ねじの対向面上に設置されたことを特徴とする、一次タッピンネジ釘としている。
請求項７の発明は、請求項４記載の一次タッピンネジ釘において、一つの該ストッパ部が該本体の該フランジ上に設置され、もう一つの該ストッパ部が該緊迫ねじの対向面上に設置されたことを特徴とする、一次タッピンネジ釘としている。
請求項８の発明は、請求項４記載の一次タッピンネジ釘において、該物品の該孔が魚眼孔とされたことを特徴とする、一次タッピンネジ釘としている。
【発明の効果】
【０００８】
本発明は一次タッピンネジ釘における、本体と緊迫ねじの噛合度の問題を解決する。その応用する技術手段及び従来の技術と機能を比較した作用効果は以下のようである。
【０００９】
本発明は本体頭部の内径を、緊迫ねじの雄ネジと噛合するために、注意深く雄ネジの外径より小さく設ける必要はなく、ただ本体頭部の内周に噛合部を設けて、該噛合部を環状或いは若干の等分突出状に設ければ、空気が湿っている時の孔拡大時にも、依然として環状或いは若干の等分の突出状の噛合部により緊迫ねじの雄ネジと噛合可能であり、空気が乾燥して孔が縮小する時、少量の環状或いは若干の等分の突出状の噛合部は緊迫ねじに強大な引き戻し力を発生させるには十分でなく、本体のネジ部を依然としてネジ止め可能とする。
【００１０】
本発明の応用する技術手段及び従来の技術と比較した作用効果は以下のようである。物品の実際の孔の深さにより、本体と緊迫ねじとの間にストッパ部を設け、緊迫ねじが物品を締めつける時、ちょうど本体に対してストッパ作用を発生するようにし、本地のネジ部が完全に最後までねじ込まれた後でなければ、本体の変形部が引き戻しの変形を開始できず、これにより物品を緊密に固定できる。
【発明を実施するための最良の形態】
【００１１】
本発明の一次タッピンネジ釘について、図６、７、８を参照されたい。これらは本発明の実施例１、２、３の立体分解図である。本発明の提供する一次タッピンネジ釘は、その構造が周知のものとほぼ同じであり、即ち、本体１０、緊迫ねじ２０、ドリルヘッド３０を包含する。構造が同じ部分の名称と符号については、重複した説明は行わない。本発明の特徴を以下に説明する。
【００１２】
本発明の特徴の一つ目は、本体１０の頭部内周に環状噛合部１５が設けられ（図６の実施例１の如し）るか、或いは若干の等分の突出噛合部１６が設けられた（図７と図８の実施例２、実施例３の如し）ことにある。
【００１３】
本発明の特徴の二つ目は、本体１０の後部に物品３の実際の孔４の深さと等しい長さのストッパ部１７が設けられた（図６の実施例１の如し）、或いは緊迫ねじ２０の後部に物品３の実際の孔４の深さと等しい高さのストッパ部２３が設けられ（図７の実施例２の如し）るか、或いは本体１０と緊迫ねじ２０の後部に総合して物品３の実際の孔４の深さと高さが等しくなり、それぞれ物品３の実際の孔４の深さの二分の１の高さのストッパ部１８、２４が設けられた（図８と図９の実施例３の如し）ことにある。
【００１４】
上述の各部品が組み合わされてなる本発明は、一種の一次タッピンネジ釘を提供し、その実際の操作応用は以下のとおりである。
【００１５】
図１０は本発明のさん孔時の使用状態図である。電動ドライバー工具１を利用して緊迫ねじ２０を駆動して回転させ、ドリルヘッド３０で板材或いは壁４０の所定位置に孔４１をあけると共に、本体１０をそれに伴い回転させる。
【００１６】
図１１に示されるのは本体１０のねじ込み時の使用状態図である。続いて本体１０のネジ部１２が孔４１中にねじ込まれ、本体１０のフランジ１１が孔４１に突き当たる時、本体１０はそれ以上ねじ込み不能で、同時に本体１０のストッパ部１７がちょうど緊迫ねじ２０に突き当たり、本体１０の退出が防止される。
【００１７】
図１２、１３は本発明の実施例１の変形部膨張時と膨張完成時の使用状態表示図である。この時本体１０は固定されて不動であり、緊迫ねじ２０の雄ネジ２１は依然として続いてねじ込まれて本体１０頭部内周の環状噛合部１５と噛み合い、この時、本体１０の変形部１３は緊迫ねじ２０の引き戻しの力を受けるために、膨張変形し、スロット１４の膨張拡張を形成し、物品３を緊密に板材或いは壁４０に固定する。
【００１８】
図１４は本発明の実施例１の別の使用状態表示図であり、物品３の孔４は魚眼孔５とされうる。
【００１９】
総合すると、本発明は一種の一次タッピンネジ釘を提供し、本発明者による実際の製造完成及び反復した操作試験の後、本発明は予期された機能を達成することが証明された。本発明は市場には未だ無く新規性を有し、産業上の利用価値を有し、実用性と進歩性も具備している。
【図面の簡単な説明】
【００２０】
【図１】周知の一次タッピンネジ釘の立体分解図である。
【図２】周知の一次タッピンネジ釘の孔拡大時の使用状態表示図である。
【図３】周知の一次タッピンネジ釘の物品ネジ止め時の連続状態表示図一である。
【図４】周知の一次タッピンネジ釘の物品ネジ止め時の連続状態表示図二である。
【図５】周知の一次タッピンネジ釘の物品ネジ止め時の連続状態表示図三である。
【図６】本発明の実施例一の立体分解図である。
【図７】本発明の実施例二の立体分解図である。
【図８】本発明の実施例三の立体分解図である。
【図９】本発明の実施例三の使用状態表示図である。
【図１０】本発明の実施例一のさん孔時の使用状態表示図である。
【図１１】本発明の実施例一のねじ込み時の使用状態表示図である。
【図１２】本発明の実施例一の変形部膨張時の使用状態表示図である。
【図１３】本発明の実施例一の変形部膨張完成時の使用状態表示図である。
【図１４】本発明の実施例一の別の使用状態表示図である。
【符号の説明】
【００２１】
１  電動ドライバー工具
２  物品
１０  本体
１１  フランジ
１２  ネジ部
１３  変形部
１４  スロット
２０  緊迫ねじ
２１  雄ネジ
２２  駆動溝
３０  ドリルヘッド
３１  嵌合孔
３  物品
４  孔
５  魚眼孔
１５  環状噛合部
１６  突出状噛合部
１７  ストッパ部
１８  ストッパ部
２３  ストッパ部
２４  ストッパ部
４０  板材或いは壁
４１  孔
【図１】
2008069963.tif 000003
【図２】
2008069963.tif 000004
【図３】
2008069963.tif 000005
【図４】
2008069963.tif 000006
【図５】
2008069963.tif 000007
【図６】
2008069963.tif 000008
【図７】
2008069963.tif 000009
【図８】
2008069963.tif 000010
【図９】
2008069963.tif 000011
【図１０】
2008069963.tif 000012
【図１１】
2008069963.tif 000013
【図１２】
2008069963.tif 000014
【図１３】
2008069963.tif 000015
【図１４】
2008069963.tif 000016